(57)【要約】【課題】パッドの素材として金属を用いなくても、フロントに対するパッドの位置を簡単に調整することができ、かつ鼻に対するフィット性を高めることのできるパッドを提供する。【解決手段】眼鏡を支えるために鼻に接するパッド１０において、フロント１００に固定される硬質のプラスチック材料からなるベース２０と、該ベース２０に対して着脱自在に構成される軟質材料からなるパッド本体３０と、を備えることで、パッド本体３０を適宜の形状及び大きさのものに変更するだけで、フロント１００に対するパッド１０の位置関係を調整することができ、また、パッド本体３０は軟質材料からなるので、ベース２０に対して着脱し易く、かつ鼻に対するフィット性に優れる。【選択図】図１
2009145552.tif 000002
【特許請求の範囲】
【請求項１】
眼鏡を支えるために鼻に接するパッドにおいて、
フロントに固定される硬質のプラスチック材料からなるベースと、
該ベースに対して着脱自在に構成される軟質材料からなるパッド本体と、
を備えることを特徴とするパッド。
【請求項２】
前記ベースは、アセテート素材から構成されており、かつアセテート素材からなるフロントに対して溶剤を用いて固定されることを特徴とする請求項１に記載のパッド。
【請求項３】
前記パッド本体には、前記ベースが嵌合する嵌合穴が複数備えられており、該ベースを嵌合させる嵌合穴の変更によって、前記ベースに対するパッド本体の取り付け位置が変更可能に構成されていることを特徴とする請求項１または２に記載のパッド。
【発明の詳細な説明】
【技術分野】
【０００１】
本発明は、眼鏡を支えるために鼻に接するパッドに関するものである。
【背景技術】
【０００２】
一般的に、眼鏡には、眼鏡を支えるために鼻に接するパッドが設けられている。かかるパッドは、フロントなどに対して、眼鏡をかけた際に鼻に接する位置に設けられる。
【０００３】
このパッドは、視力矯正の効果を高めたり、眼鏡のかけ心地を高めたりする役割を担っている。すなわち、パッドの鼻に当る位置に応じて眼とレンズとの位置関係が定めるため、パッドは、レンズの位置を調整して視力矯正を高める役割を担っている。また、鼻の大きさ（高さや幅）や鼻梁の形は、人によって様々であり、眼鏡のかけ心地を良くするためには、パッドの鼻に対するフィット性を高める必要がある。
【０００４】
そこで、フロントに対するパッドの位置を調整できるように、パッド足の先端にパッドを設け、パッド足の部分を塑性変形させることによって、パッドの位置を微調整できる技術が知られている（特許文献１参照）。また、パッド足の先端を球形として、この球形部分に対してパッドを首振り自在に構成した技術も知られている（特許文献２参照）。
【０００５】
しかしながら、これらの技術の場合には、通常、金属製のパッド足が必要となってしまう。従って、例えばデザイン上等の理由から、金属製の部材を用いたくない場合には、上記の従来技術を適用することはできない。
【０００６】
また、フロントの素材として、アセテートなどのプラスチック材料を用いた場合において、かつ金属製のパッド足を用いた場合には、フロントとパッド足との接合部分に不具合が生じ易い。
【０００７】
すなわち、プラスチック製のフロントと金属製のパッド足とを接着剤などによって接着した場合には、一般的に接着力を高めるのが困難という問題がある。また、金属製のパッド足の一部をプラスチック製のフロントに埋め込んで接合させる場合には、フロントに亀裂が生じ易いという問題や、フロントにおけるパッド足を埋め込む部分を細くすることができず設計上の制約があるという問題がある。
【０００８】
これに対して、アセテートなどのプラスチック製のフロントに対して、同一の材料からなるパッドを、溶剤を用いて固定させる場合には、高い接合力が得られるという利点がある。その一方で、この場合には、パッドの位置の調整が極めて困難であるという問題がある。つまり、パッドをフロントに対して接合した後に、パッドの位置を微調整する場合には、加熱しながら変形させるなど、位置調整に非常に手間がかかってしまう。
【特許文献１】実開昭５５−１３８６１６号公報
【特許文献２】実開平１−１４９６１４号公報
【発明の開示】
【発明が解決しようとする課題】
【０００９】
本発明の目的は、金属製の材料を用いなくても、フロントに対するパッドの位置を簡単に調整することができ、かつ鼻に対するフィット性を高めることのできるパッドを提供することにある。
【課題を解決するための手段】
【００１０】
本発明は、上記課題を解決するために以下の手段を採用した。
【００１１】
すなわち、本発明のパッドは、
眼鏡を支えるために鼻に接するパッドにおいて、
フロントに固定される硬質のプラスチック材料からなるベースと、
該ベースに対して着脱自在に構成される軟質材料からなるパッド本体と、
を備えることを特徴とする。
【００１２】
本発明によれば、パッド本体を適宜の形状及び大きさのものに変更するだけで、フロントに対するパッドの位置関係を調整することができる。また、パッド本体は軟質材料からなるので、ベースに対して着脱し易く、かつ鼻に対するフィット性に優れる。
【００１３】
前記ベースは、アセテート素材から構成されており、かつアセテート素材からなるフロントに対して溶剤を用いて固定されるとよい。
【００１４】
こうすることで、フロントを破損してしまうことなく、フロントとベースとの接合力を高めることができる。
【００１５】
前記パッド本体には、前記ベースが嵌合する嵌合穴が複数備えられており、該ベースを嵌合させる嵌合穴の変更によって、前記ベースに対するパッド本体の取り付け位置が変更可能に構成されているとよい。
【００１６】
こうすることで、パッド本体を他のものに交換することなく、フロントに対するパッドの位置を変更することができる。
【００１７】
なお、上記各構成は、可能な限り組み合わせて採用し得る。
【発明の効果】
【００１８】
以上説明したように、本発明によれば、金属製の材料を用いなくても（ただし、金属製の材料を用いることを否定する訳ではない）、フロントに対するパッドの位置を簡単に調整することができ、かつ鼻に対するフィット性を高めることができる。
【発明を実施するための最良の形態】
【００１９】
以下に図面を参照して、この発明を実施するための最良の形態を、実施例に基づいて例示的に詳しく説明する。ただし、この実施例に記載されている構成部品の寸法、材質、形状、その相対配置などは、特に特定的な記載がない限りは、この発明の範囲をそれらのみに限定する趣旨のものではない。
【実施例１】
【００２０】
図１〜図６を参照して、本発明の実施例１に係るパッドについて説明する。
【００２１】
＜眼鏡フレーム＞
図１を参照して、眼鏡フレームについて説明する。図１は本発明の実施例１に係るパッドが適用された眼鏡フレームの斜視図の一部である。なお、図１においては、パッドの付近を透視図にて示している。
【００２２】
眼鏡フレームは、眼鏡フレームの前面部を構成するフロント１００と、眼鏡を支えるために鼻に接するパッド１０とを備えている。フロント１００は、レンズを保持する一対のリム部１０１と、これら一対のリム部１０１をつなぐブリッジ部１０２とを有している。そして、本実施例においては、フロント１００は、アセテート素材からなっている。
【００２３】
また、パッド１０は、フロント１００に固定されるベース２０と、ベース２０に対して着脱自在に構成されるパッド本体３０とを備えている。
【００２４】
＜パッド＞
特に、図２〜図５を参照して、本発明の実施例１に係るパッドについて説明する。図２は本発明の実施例１に係るパッドを構成する部材の斜視図である。図３は本発明の実施例１に係るパッドを構成する部材の上面図である。図４は本発明の実施例１に係るパッドを構成する部材の正面図である。図５は本発明の実施例１に係るパッドを構成する部材の側面図である。なお、図３〜図５において、（Ａ）はパッド本体、（Ｂ）はベースを示している。
【００２５】
ベース２０は、フロント１００のリム部１０１に固定される土台部２１と、パッド本体３０を保持する保持部２２と、土台部２１と保持部２２とを連結する連結部２３とを一体的に備えている。また、ベース２０は、フロント１００と同じ素材、すなわち硬質のプラスチック材料であるアセテート素材からなっている。そして、土台部２１の底面部分がリム部１０１に対して溶剤を用いて固定されることで、ベース２０はフロント１００に対して高い接合力で固定されている。
【００２６】
パッド本体３０は、鼻に接触する部材であり、例えばシリコーンなどの軟質材料から構成されている。そして、パッド本体３０には、ベース２０の外形と実質的に同一形状の嵌合穴３１が設けられている。また、パッド本体３０の外形は、正面から見て左右非対称の曲面形状によって構成されている（図４参照）。
【００２７】
以上のように構成されるパッド１０によれば、ベース２０をパッド本体３０の嵌合穴３１に嵌合させることによって、ベース２０に対してパッド本体３０を装着することができる。パッド本体３０を装着する際には、嵌合穴３１のいずれか一方の端部（上下方向の一方の端部）にベース２０の一端を引掛けて、パッド本体３０の他方の端部を引っ張るようにしてパッド本体３０を変形させながらベース２０に嵌めることで、簡単に装着することができる。また、パッド本体３０をベース２０から取り外す場合には、パッド本体３０のいずれか一方の端部を引っ張るようにしてパッド本体３０を変形させながらめくるようにすることで簡単に取り外すことができる。
【００２８】
＜本実施例の優れた点＞
以上のように、本実施例に係るパッド１０によれば、フロント１００に固定されたベース２０に対してパッド本体３０を簡単に着脱することができる。そのため、パッド本体３０を適宜の形状及び大きさのものに変更するだけで、フロント１００に対するパッド１０（実質的には、パッド１０における鼻への接触部分）の位置関係を調整することができる。これにより、眼とレンズの位置関係を調整できると共に、パッド１０の鼻に対するフィット性を調整できる。そして、形状や大きさが異なるパッド本体３０を複数種類用意しておくことで、様々な鼻の大きさや鼻梁の形に対して対応が可能となる。
【００２９】
また、本実施例においては、パッド本体３０の外形は、正面から見て左右非対称の曲面形状によって構成されている。そのため、一対のパッド本体３０を左右入れ替えることによっても、フロント１００に対するパッド１０の位置関係を変えることができる。この点について、図６を参照して説明する。図６は本発明の実施例１に係るパッドとフロントの位置関係を正面から見た概略図である。なお、フロントについては一部のみ示している。
【００３０】
上記の通り、パッド本体３０の外形は、正面から見て左右非対称の曲面形状によって構成されている。従って、一対のパッド本体３０におけるそれぞれの形状は、同一ではなく
、鏡面対象の関係にある。例えば、図６（Ａ）に示すように、図中左側をパッド本体３０Ｘ，右側をパッド本体３０Ｙとする。そして、図６（Ｂ）では、これらのパッド本体３０Ｘ，３０Ｙを入れ替えて、パッド本体３０Ｙを図中左側に配置して、パッド本体３０Ｘを図中右側に配置した状態を示している。
【００３１】
これらの図からも分かるように、パッド本体３０Ｘ，３０Ｙは正面から見て左右非対称の曲面形状によって構成されることから、図６（Ａ）のように配置した場合と、図６（Ｂ）のように配置した場合とでは、フロント１００に対するパッド１０の位置関係が異なる。例えば、一対のパッド本体３０Ｘ，３０Ｙの間隔は、図６（Ａ）に示す場合の方が広くなる（Ｗ１＞Ｗ２）。
【００３２】
このように、パッド本体３０の外形を、正面から見て左右非対称の曲面形状によって構成することにより、１組のパッド本体３０によって、フロント１００に対するパッド１０の位置関係を２通り実現することができる。
【００３３】
また、パッド本体３０は軟質材料からなるので、ベース２０に対して着脱し易く、かつ鼻に対するフィット性に優れる。
【００３４】
また、本実施例においては、ベース２０は、アセテート素材から構成されており、かつアセテート素材からなるフロント１００に対して溶剤を用いて固定されている。従って、フロント１００を破損してしまうことなく、フロント１００とベース２０との接合力を高めることができる。
【実施例２】
【００３５】
図７及び図８には、本発明の実施例２が示されている。上記実施例１では、パッド本体にベースの外形と実質的に同一形状の単一の嵌合穴を設ける場合の例を示したが、本実施例では、パッド本体に複数の嵌合穴を設けることで、ベースに対するパッド本体の取り付け位置を変更可能に構成した場合を示す。その他の構成および作用については実施例１と同一なので、同一の構成部分については、適宜、その説明は省略する。
【００３６】
図７は本発明の実施例２に係るパッドを構成する部材の模式的断面図である。図８は本発明の実施例２に係るパッドの取り付け位置の変更の仕方を説明する説明図である。
【００３７】
本実施例においても、上記実施例１の場合と同様に、パッド１０ａは、フロントに固定されるベース２０ａと、ベース２０ａに対して着脱自在に構成されるパッド本体３０ａとを備えている。また、ベース２０ａについても、実施例１の場合と同様に、フロントのリム部に固定される土台部２１ａと、パッド本体３０ａを保持する保持部２２ａと、土台部２１ａと保持部２２ａとを連結する連結部２３ａとを一体的に備えている。
【００３８】
そして、本実施例に係るパッド本体３０ａにおいては、上下２箇所に嵌合穴３１ａ，嵌合穴３１ｂが設けられている。これにより、ベース２０ａをパッド本体３０ａにおける上部の嵌合穴３１ａに嵌合させれば、パッド本体３０ａをベース２０ａに対して下方側にずれた位置に固定させることができる（図８（Ａ）参照）。また、ベース２０ａをパッド本体３０ａにおける下部の嵌合穴３１ｂに嵌合させれば、パッド本体３０ａをベース２０ａに対して上方側にずれた位置に固定させることができる（図８（Ｂ）参照）。
【００３９】
なお、本実施例においては、上部の嵌合穴３１ａと下部の嵌合穴３１ｂは、開口部側が連通するように構成されている。これにより、パッド本体３０ａを嵌合させる嵌合穴を変更する場合には、パッド本体３０ａを一旦取り外さなくても、パッド本体３０ａをスライドさせることで嵌合穴を変更できる。
【００４０】
このように、本実施例に係るパッド１０ａによれば、上記実施例１と同様の効果が得られることに加えて、ベース２０ａを嵌合させる嵌合穴を変更することで、ベース２０ａに対するパッド本体３０ａの取り付け位置を変更することができる。従って、パッド本体３０ａを他のものに交換することなく、フロントに対するパッド１０ａの位置を変更することができる。
【００４１】
特に、本実施例においては、ベース２０ａに対するパッド本体３０ａの位置を上下の２箇所に変更可能なため、老眼鏡のように累進レンズ（累進屈曲力レンズ）を備えた眼鏡に対して好適に利用することができる。つまり、例えば、老眼鏡の場合には、レンズの位置によって屈曲率が異なっており、一般的に、遠方を見る場合には眼鏡をかけたままで、近くを見る場合には眼鏡を上か下にずらすようにして使われる。そして、近くを見る場合には、通常、眼鏡を手で持ったままの状態で利用される。これに対して、本実施例のパッド１０ａを用いれば、ベース２０ａを嵌合させる嵌合穴を変更すれば、眼鏡の位置を上下にずらすこができるので、遠方を見る場合と近くを見る場合のいずれの場合でも、眼鏡から手を離しておくことができる。
【００４２】
なお、本実施例では、パッド本体に対して上下の２箇所に嵌合穴を設ける場合の例を説明したが、左右の２箇所に嵌合穴を設けて、パッドの位置を幅方向に変更できるようにしてもよい。また、嵌合穴は、２箇所に限らず３箇所以上設けることも可能である。例えば、上下左右の４箇所に設けることができる。
【図面の簡単な説明】
【００４３】
【図１】図１は本発明の実施例１に係るパッドが適用された眼鏡フレームの斜視図の一部である。
【図２】図２は本発明の実施例１に係るパッドを構成する部材の斜視図である。
【図３】図３は本発明の実施例１に係るパッドを構成する部材の上面図である。
【図４】図４は本発明の実施例１に係るパッドを構成する部材の正面図である。
【図５】図５は本発明の実施例１に係るパッドを構成する部材の側面図である。
【図６】図６は本発明の実施例１に係るパッドとフロントの位置関係を正面から見た概略図である。
【図７】図７は本発明の実施例２に係るパッドを構成する部材の模式的断面図である。
【図８】図８は本発明の実施例２に係るパッドの取り付け位置の変更の仕方を説明する説明図である。
【符号の説明】
【００４４】
１０，１０ａ  パッド
２０，２０ａ  ベース
２１，２１ａ  土台部
２２，２２ａ  保持部
２３，２３ａ  連結部
３０，３０Ｘ，３０Ｙ，３０ａ  パッド本体
３１，３１ａ，３１ｂ  嵌合穴
１００  フロント
１０１  リム部
１０２  ブリッジ部
【図１】
2009145552.tif 000003
【図２】
2009145552.tif 000004
【図３】
2009145552.tif 000005
【図４】
2009145552.tif 000006
【図５】
2009145552.tif 000007
【図６】
2009145552.tif 000008
【図７】
2009145552.tif 000009
【図８】
2009145552.tif 000010